(57)【要約】【課題】新たな内容器に交換するにあたって、密封されていた内容器を容易に開封することができる詰め替え容器を提案する。【解決手段】本発明の詰め替え容器において、内容器２０は、これを外容器１０に収容した際に環状壁１１の上方に位置するフランジ２５と、フランジ２５に設けられる貫通穴２６とを有し、蓋体３０は、頂壁３１に一体に連結する摘み片３２と、摘み片３２の下面に設けられ内容器２０を外容器１０に収容する前において貫通穴２６に挿入される下向き突起３５とを有し、外容器１０は、環状壁１１から上方に向けて突出し、内容器２０を外容器１０に収容した際に貫通穴２６に挿入されて下向き突起３５とともに摘み片３２を押し上げる上向き突起１６を有する。【選択図】図１
2018140788.tif 000002
【特許請求の範囲】
【請求項１】
上部開口を有し内容物を収容する内容器と、該上部開口を覆う頂壁を有し該内容器に保持される蓋体と、上端穴を通して該内容器を収容する環状壁を有する外容器と、を備える詰め替え容器であって、
前記内容器は、該内容器を前記外容器に収容した際に前記環状壁の上方に位置するフランジと、該フランジに設けられる貫通穴とを有し、
前記蓋体は、前記頂壁に一体に連結する摘み片と、該摘み片の下面に設けられ前記内容器を前記外容器に収容する前において前記貫通穴に挿入される下向き突起とを有し、
前記外容器は、前記環状壁から上方に向けて突出し、前記内容器を該外容器に収容した際に前記貫通穴に挿入されて前記下向き突起とともに前記摘み片を押し上げる上向き突起を有する詰め替え容器。
【請求項２】
前記内容器は、前記フランジの下面から下向きに延在して前記環状壁の外面に設けられた係合部に係止される被係合部を有する請求項１に記載の詰め替え容器。
【請求項３】
前記外容器は、前記環状壁の内面に設けられる第一凹部又は第一凸部を有し、前記内容器は、前記第一凹部に嵌まり込む第二凸部又は前記第一凸部に嵌まり込む第二凹部を有する請求項１又は２に記載の詰め替え容器。
【請求項４】
前記蓋体は、前記摘み片よりも径方向内側における前記頂壁の下面に設けられ、前記内容器の内面に嵌合保持されるシール筒を有する請求項１〜３の何れか一項に記載の詰め替え容器。
【請求項５】
前記蓋体は、前記頂壁と前記摘み片を構成する板状部を備えるとともに、該板状部に設けた分断部によって該頂壁と該摘み片を区画形成するものである請求項１〜４の何れか一項に記載の詰め替え容器。
【発明の詳細な説明】
【技術分野】
【０００１】
本発明は、内容物を収容する内容器と、内容器を収容する外容器とを備え、内容物を使い切った後は新たな内容器に交換可能な詰め替え容器に関するものである。
【背景技術】
【０００２】
従来、例えばクリーム状の化粧料を入れる容器としては、スパチュラ等で適量の内容物を掬い取って使用するジャータイプの容器が使用されている。この種の容器は、例えば特許文献１に示されているように、内容物を収容する内容器と、内容器を収容する外容器とを備え、内容物を使い切った後は、外容器から内容器を取り出して新たな内容器に交換できるように構成している。このような容器によれば、外容器を繰り返し使用することができるため、資源の有効活用に効果的である。
【先行技術文献】
【特許文献】
【０００３】
【特許文献１】特開２０１１−１５７０８３号公報
【発明の概要】
【発明が解決しようとする課題】
【０００４】
ところでこの種の容器における新たな内容器には、内容器を密封するための蓋体が設けられていて、使用前における内容物の品質が保たれている。ここで蓋体は、例えば内容器の口部に固着されるシート状のものや、内容器にねじ込まれるキャップ状のものなどが知られている。しかしシート状のものにあっては、これを剥がす際に、内容器の上面に密着したシートの端部分を捲りあげなければならず、開封作業が行いにくいという問題を抱えている。また、キャップ状のものにあっては、密封性を確保するために比較的固く締まっていることが多く、強い力で回転しなければならないため、やはり開封作業に難がある。
【０００５】
本発明はこのような問題を解決することを課題とし、新たな内容器に交換するにあたって、密封されていた内容器を容易に開封することができる詰め替え容器を提供することを目的とする。
【課題を解決するための手段】
【０００６】
本発明は、上部開口を有し内容物を収容する内容器と、該上部開口を覆う頂壁を有し該内容器に保持される蓋体と、上端穴を通して該内容器を収容する環状壁を有する外容器と、を備える詰め替え容器であって、
前記内容器は、該内容器を前記外容器に収容した際に前記環状壁の上方に位置するフランジと、該フランジに設けられる貫通穴とを有し、
前記蓋体は、前記頂壁に一体に連結する摘み片と、該摘み片の下面に設けられ前記内容器を前記外容器に収容する前において前記貫通穴に挿入される下向き突起とを有し、
前記外容器は、前記環状壁から上方に向けて突出し、前記内容器を該外容器に収容した際に前記貫通穴に挿入されて前記下向き突起とともに前記摘み片を押し上げる上向き突起を有する詰め替え容器である。
【０００７】
前記内容器は、前記フランジの下面から下向きに延在して前記環状壁の外面に設けられた係合部に係止される被係合部を有することが好ましい。
【０００８】
前記外容器は、前記環状壁の内面に設けられる第一凹部又は第一凸部を有し、前記内容器は、前記第一凹部に嵌まり込む第二凸部又は前記第一凸部に嵌まり込む第二凹部を有することが好ましい。
【０００９】
前記蓋体は、前記摘み片よりも径方向内側における前記頂壁の下面に設けられ、前記内容器の内面に嵌合保持されるシール筒を有することが好ましい。
【００１０】
前記蓋体は、前記頂壁と前記摘み片を構成する板状部を備えるとともに、該板状部に設けた分断部によって該頂壁と該摘み片を区画形成するものであることが好ましい。
【発明の効果】
【００１１】
本発明の詰め替え容器は、内容器の上部開口を覆う蓋体の頂壁に摘み片を一体に連結し、更に摘み片には、内容器に設けた貫通穴に挿入される下向き突起を設けている。そして内容器を外容器に収容すると、外容器の上向き突起によって、貫通穴に挿入されていた下向き突起とともに摘み片も押し上げられる。これにより、摘み片が掴みやすくなるため、開封作業が行いやすくなる。
【００１２】
内容器に、フランジの下面から下向きに延在して環状壁の外面に設けられた係合部に係止される被係合部を設ける場合は、貫通穴を備える内容器のフランジが外容器の環状壁に係止されるため、環状壁に対するフランジの浮き上がりを防止することができる。これにより、外容器の上向き突起が貫通穴に挿入された際は、浮き上がりが抑えられたフランジと押し上げられた摘み片との間に隙間が確実に形成されるため、開封作業がより安定的に行えるようになる。
【００１３】
外容器に、環状壁の内面に設けられる第一凹部又は第一凸部を設け、内容器に、第一凹部に嵌まり込む第二凸部又は第一凸部に嵌まり込む第二凹部を設ける場合は、外容器と内容器が周方向に位置決めされ、内容器の貫通穴に外容器の上向き突起を確実に挿入することができるため、この場合も開封作業をより安定的に行えるようになる。
【００１４】
蓋体に、摘み片よりも径方向内側における頂壁の下面において、内容器の内周面に嵌合保持されるシール筒を設ける場合は、変形するおそれが少ない頂壁にシール筒が連結しているため、内容器をより確実に密封しておくことができる。
【図面の簡単な説明】
【００１５】
【図１】本発明に従う詰め替え容器の一実施形態につき、密封された内容器を外容器に収容する直前の状態を示した側面視での断面図である。
【図２】図１における外容器を示す、（ａ）は平面図であり、（ｂ）は側面視での断面図である。
【図３】図１における内容器を示す、（ａ）は平面図であり、（ｂ）は側面視での断面図である。
【図４】図１における蓋体を示す、（ａ）は平面図であり、（ｂ）は側面視での断面図である。
【図５】内容器を外容器に収容した状態を示した側面視での断面図である。
【図６】図５の状態から蓋体を取り除き、その後にキャップを閉めた状態を示す側面視での断面図である。
【発明を実施するための形態】
【００１６】
以下、図面を参照しながら本発明に従う詰め替え容器の一実施形態について説明する。なお、本明細書等における「上」、「下」は、図１に示すように、符号１０で示す外容器に対し、符号２０で示す内容器が上方に位置する状態での向きをいう。
【００１７】
本実施形態の詰め替え容器は、図１において符号１０で示す外容器と、符号２０で示す内容器と、符号３０で示す蓋体とを備えていて、更に図６において符号４０で示すキャップと、符号５０で示すパッキンとを備えている。
【００１８】
まず、外容器１０について説明する。図１、図２に示すように外容器１０は、内容器２０よりも大径になる環状壁１１を備えている。環状壁１１は、上方に向けて開口する上端穴１２と、環状壁１１の下端を閉鎖する底壁１３とを備えている。また底壁１３の中央部には、上下方向に底壁１３を貫く下端穴１４が設けられている。また環状壁１１の内面には、上下方向に延在する凹部（第一凹部）１５が設けられている。
【００１９】
そして環状壁１１の上端には、図２（ａ）に示すように円柱状をなし、上方へ向けて突出する上向き突起１６が設けられている。また環状壁１１の外面には、径方向外側に向けて突出する突出部（係合部）１７が設けられている。更に環状壁１１は、突出部１７の下方で連結する外周壁１８を備えていて、外周壁１８の外面には、雄ねじ部１９が設けられている。
【００２０】
図１、図３に示すように内容器２０は、円板状になる底部２１と、下部は底部２１によって閉鎖される一方、上部は開口する周壁２２を備えている。ここで、周壁２２の上部における開口を上部開口２３と称する。
【００２１】
周壁２２の外面には、上下方向に延在するとともに前述の第一凹部１５に嵌まり込む第二凸部２４が設けられている。また周壁２２の上端部には、径方向外側に向けて延在するフランジ２５が設けられている。ここでフランジ２５には、前述の上向き突起１６を挿入可能な大きさで形成された貫通穴２６が設けられている。更にフランジ２５の上面には、フランジ２５の外縁に沿って延在する薄板環状の壁部２７が設けられている。そしてフランジ２５の下面には、下向きに延在するとともにその下端が径方向内側に突出する形態をなす爪部（被係合部）２８が設けられている。
【００２２】
図１、図４に示すように蓋体３０は、上部開口２３を覆う頂壁３１と、頂壁３１に一体に連結するとともに円弧状に延在する摘み片３２を備えている。本実施形態の頂壁３１と摘み片３２は、全体としての形状が円板状になる部分に、径方向外側から内側に向かった後、円弧状に延在する分断部３３を設けて形成されるものである。なお、本実施形態における分断部３３は、これが延在する全長の全てにおいて円板状になる部分を表面から裏面まで切断するスリットで構成したものであるが、全ての延在域が最初から分断されるものに限定されず、後から分断されるものであってもよい。このようなものとしては、例えば分断部３３が延在する部分において、表面から裏面まで切断される部分が間欠状に設けられているものが挙げられる。また他にも、分断部３３が延在する部分を薄肉状にしたものであってもよい。そして、頂壁３１の下面において、摘み片３２よりも径方向内側には、筒状をなすとともに周壁２２の内面に嵌合保持されるシール筒３４が設けられている。また摘み片３２の下面には、下方に向けて突出するとともに前述の貫通穴２６に挿入可能な下向き突起３５が設けられている。
【００２３】
また、図６に示したキャップ４０は、円板状をなすキャップ天壁４１と、キャップ天壁４１の外縁から下向きに延在する環状のキャップ外周壁４２とを備えている。更にキャップ４０は、キャップ外周壁４２の内面に設けられ、前述の雄ねじ部１９に適合する雌ねじ部４３を備えている。
【００２４】
そして、図６に示したパッキン５０は、円板状をなしていてキャップ４０の内側に取り付けられるものである。ここでパッキン５０は、弾性を有する素材で形成されていて、キャップ４０を閉めた際には壁部２７に押し当たって、内容器２０を閉鎖することができる。
【００２５】
このような形態になる詰め替え容器において、未使用時における内容器２０は、図１に示すように、蓋体３０の頂壁３１によって上部開口２３が覆われており、またシール筒３４が周壁２２に嵌合保持されていて、その内部は密封された状態になっている。そして頂壁３１及び摘み片３２は、フランジ２５に接しており、またこれらの厚みと同等の高さになる壁部２７によって取り囲まれているため、指等で不用意に触れてもこれらが捲れ上がることがない。また、このような構成によって内容器２０は単体状態で開封されることがないため、内容器２０を外容器１０に収容するとした想定通りの使い方での使用を促すことができる。
【００２６】
そして密封された内容器２０を、図１に示すように、上端穴１２を通して外容器１０に収容する。この際、第二凸部２４を第一凹部１５に嵌め込むことによって、外容器１０と内容器２０が周方向に位置決めされるため、外容器１０の上向き突起１６と内容器２０の貫通穴２６の位置が合った状態で、内容器２０を外容器１０に収容することができる。
【００２７】
内容器２０を外容器１０に収容すると、図５に示すように、上向き突起１６が貫通穴２６に挿入されることになる。これにより、貫通穴２６に挿入されていた下向き突起３５が上方に向けて押し上げられ、更に、下向き突起３５に連結する摘み片３２は、分断部３３によって頂壁３１と分けられているため、頂壁３１を残したまま摘み片３２も押し上げられる。すなわち、内容器２０を外容器１０に収容することによって、摘み片３２はフランジ２５から離反するため、摘み片３２が掴みやすくなる。特に本実施形態にあっては、内容器２０の爪部２８が外容器１０の突出部１７に係止されるため、環状壁１１に対するフランジ２５の浮き上がりが防止できる。すなわち、上向き突起１６が貫通穴２６に挿入されると、フランジ２５と摘み片３２との間に隙間を確実に形成することができる。その後は、掴んだ摘み片３２を引き上げることにより、摘み片３２に一体に連結する頂壁３１が持ち上がるため、シール筒３４も周壁２２から持ち上げられて内容器２０を開封することができる。
【００２８】
内容器２０から内容物を掬い取った後は、キャップ４０によって内容器２０を閉鎖することができる。本実施形態にあっては、図６に示すように、雄ねじ部１９に雌ねじ部４３をねじ込むようにしてキャップ４０を閉めれば、パッキン５０がキャップ天壁４１と壁部２７で挟持されて外気の侵入を抑制することができるため、内容物の品質を保つことができる。
【００２９】
なお、内容物を使い切った後は、キャップ４０を開いた後に、外容器１０の下端穴１４から指等で底部２１を押し上げれば、突出部１７に係止されていた爪部２８が外れて、内容器２０を外容器１０から取り外すことができる。これにより、前述の手順で新たな内容器２０を外容器１０に収容することができる。
【００３０】
本発明に従う詰め替え容器は、これまでに述べた実施形態に限定されるものではなく、特許請求の範囲に従う範疇で種々の変更を加えたものも含まれる。例えば、前述の実施形態では、外容器１０と内容器２０とを周方向に位置決めするものとして、外容器１０に第一凹部１５を設け、内容器２０に第二凸部２４を設けたが、外容器１０に凸部（第一凸部）を設け、内容器にはこれに適合する凹部（第二凹部）を設けてもよい。また、環状壁１１に対するフランジ２５の浮き上がりを防止するものとして設けた係合部と被係合部は、突出部１７と爪部２８の組み合わせに限られず、環状壁１１の外面を内側に凹ませた凹所を係合部とし、被係合部はこの凹所に係止される爪部としてもよい。更に、摘み片３２の形状は、図示したものに限られず、長さや幅は適宜変更可能であり、またその形状も、図示した円弧状になるものの他、直線状に延在するものなど、種々のものが適用可能である。更に、そしてキャップ４０は、外容器１０にねじ込まれるものに限られず、アンダーカット等によって外容器１０に保持されるものでもよい。
【符号の説明】
【００３１】
１０：外容器
１１：環状壁
１２：上端穴
１３：底壁
１４：下端穴
１５：第一凹部
１６：上向き突起
１７：突出部
１８：外周壁
１９：雄ねじ部
２０：内容器
２１：底部
２２：周壁
２３：上部開口
２４：第二凸部
２５：フランジ
２６：貫通穴
２７：壁部
２８：爪部
３０：蓋体
３１：頂壁
３２：摘み片
３３：分断部
３４：シール筒
３５：下向き突起
４０：キャップ
４１：キャップ天壁
４２：キャップ外周壁
４３：雌ねじ部
５０：パッキン
【図１】
2018140788.tif 000003
【図２】
2018140788.tif 000004
【図３】
2018140788.tif 000005
【図４】
2018140788.tif 000006
【図５】
2018140788.tif 000007
【図６】
2018140788.tif 000008